(57)【要約】【課題】  電力供給のオン状態とオフ状態とを切り替える制御の安定性を向上させる電子機器及び切替制御方法を提供すること。【解決手段】  実施形態によれば、電子機器は、第１制御手段及び第２制御手段を具備している。前記第１制御手段は、自身が前記所定処理を実行するためのオン状態又はオフ状態を示す状態監視信号を第２制御手段に伝送する。前記第２制御手段は、前記切替手段を制御する切替制御手段を有している。前記第２制御手段は、前記検出手段が前記オン要因またはオフ要因を検出すると、所定時間経過後に前記状態監視信号と前記オン要因またはオフ要因とが一致するか判別し、一致しない場合には前記切替制御手段が前記切替手段を制御する。【選択図】図３
2013078057.tif 000002
【特許請求の範囲】
【請求項１】
電源から電力を供給されて動作する電源回路と、
前記電源回路に対する前記電力の供給をオン状態又はオフ状態に切り替える切替手段と、
前記電力の供給をオン状態に切り替えるオン要因および前記電力の供給をオフ状態に切り替えるオフ要因を検出する検出手段と、
前記電源回路より電力を供給されて動作する第１制御手段であって、前記検出手段の検出結果に基づいて、所定処理を実行する前記第１制御手段と、
前記電源から供給された電力を蓄電する蓄電手段と、
前記電力の供給がオン状態のときには前記電源から電力を供給されて動作し、前記電力の供給がオフ状態のときには前記蓄電手段から電力を供給されて動作する第２制御手段とを具備し、
前記第１制御手段は、自身が前記所定処理を実行するためのオン状態又はオフ状態を示す状態監視信号を第２制御手段に伝送し、
前記第２制御手段は、
前記切替手段を制御する切替制御手段を有し、
前記検出手段が前記オン要因またはオフ要因を検出すると、所定時間経過後に前記状態監視信号と前記オン要因またはオフ要因とが一致するか判別し、一致しない場合には前記切替制御手段が前記切替手段を制御する電子機器。
【請求項２】
請求項１に記載の電子機器において、
前記切替制御手段は、前記電力の供給を強制的にオン状態又はオフ状態とするように前記切替手段を制御する電子機器。
【請求項３】
請求項１に記載の電子機器において、
前記切替制御手段は、前記検出手段がオフ要因を検出したときには前記電力の供給をオン状態又はオフ状態とするように前記切替手段を制御し、前記検出手段がオン要因を検出したときには前記電力の供給をオン状態とするように前記切替手段を制御する電子機器。
【請求項４】
請求項１に記載の電子機器において、
前記電源回路がオン状態のとき、前記電源回路から電力を供給されて画面の表示処理を実行する表示処理手段を更に備えた電子機器。
【請求項５】
電源から電力を供給されて動作する電源回路と、前記電源回路に対する前記電力の供給をオン状態又はオフ状態に切り替える切替手段とを備えた電子機器が実行する切替制御方法であって、
前記電力の供給をオン状態に切り替えるオン要因又は前記電力の供給をオフ状態に切り替えるオフ要因を検出する検出ステップ、
前記電源回路より電力を供給されて動作し、前記検出手段の検出結果に応じて、所定処理を実行する第１制御ステップと、
前記電源から供給された電力を蓄電する蓄電ステップと、
前記電力の供給がオン状態のときには前記電源から電力を供給されて動作し、前記電力の供給がオフ状態のときには前記蓄電手段から電力を供給されて動作する第２制御ステップとを備え、
前記第１制御ステップは、
自身が前記所定処理を実行するためのオン状態又はオフ状態を示す状態監視信号を第２制御手段に伝送する伝送ステップを備え、
前記第２制御ステップは、
前記検出手段が前記オン要因またはオフ要因を検出すると、所定時間経過後に前記状態監視信号と前記オン要因またはオフ要因とが一致するか判別し、一致しない場合には前記切替手段を制御する切替制御ステップと、
を備えた切替制御方法。
【発明の詳細な説明】
【技術分野】
【０００１】
本発明の実施形態は、電子機器及び切替制御方法に関する。
【背景技術】
【０００２】
近年、利用者による操作入力やタイマーに基づいて、オン状態又はオフ状態を設定可能な電子機器がある。この種の電子機器は、設定されたオン状態又はオフ状態に応じて、電源の供給経路に配置されたリレースイッチの接点を制御することにより、電源から供給される電力のオン状態及びオフ状態を切り替える。
【０００３】
しかしながら、このような切り替えにラッチング式リレーが利用された場合、振動等の影響によってリレー内部の接点がオン状態からオフ状態へ、又はオフ状態からオン状態へと不本意に切り替わってしまうことがある。すなわち、制御回路によるリレー制御状態と、実際のリレー接点のオン状態又はオフ状態とに矛盾が生ずる可能性がある。
【０００４】
そこで、このような矛盾が生じる可能性を削減する観点から、電源制御ＩＣ（integrated circuit）を搭載した電子機器が知られている。この種の電源制御ＩＣは、電源からの電力供給のオン状態又はオフ状態と、回路内部及び回路外部から設定されたリレースイッチのオン状態又はオフ状態とを比較する。この比較の結果、この２つの状態が不一致の場合、電源制御ＩＣは、リレースイッチをオン状態に制御する制御信号を出力する。
【先行技術文献】
【特許文献】
【０００５】
【特許文献１】特開２０１１−１６０１４９号公報
【発明の概要】
【発明が解決しようとする課題】
【０００６】
しかしながら、従来の電子機器は、電力供給のオン状態とオフ状態とを切り替える制御の安定性を低下させてしまう課題があった。
【０００７】
例えば、従来の電子機器は、操作入力等によりオン状態又はオフ状態を切り替えて設定した場合、この設定した時点から少し遅れて、電源からの電力供給のオン状態又はオフ状態が切り替わることがある。すなわち、オン状態とオフ状態とを切り替える途中では、設定した状態と、電力供給の状態とに一時的な不一致が生じる場合がある。
【０００８】
このため、電子機器は、この一時的な不一致を異常と誤認識して、常にリレースイッチをオン状態に制御し続ける可能性がある。このとき、電子機器は、電力供給のオン状態とオフ状態とを切り替える制御の安定性を低下させてしまう。
【０００９】
本発明の目的は、電力供給のオン状態とオフ状態とを切り替える制御の安定性を向上し得る電子機器及び切替制御方法を提供することである。
【課題を解決するための手段】
【００１０】
実施形態によれば、電子機器は、電源回路、切替手段、検出手段、第１制御手段、蓄電手段及び第２制御手段を備えている。
【００１１】
前記電源回路は、電源から電力を供給されて動作する。
【００１２】
前記リレースイッチは、前記電源回路に対する前記電力の供給をオン状態又はオフ状態に切り替える。
【００１３】
前記検出手段は、前記電力の供給をオン状態に切り替えるオン要因および前記電力の供給をオフ状態に切り替えるオフ要因を検出する。
【００１４】
前記第１制御手段は、前記電源回路より電力を供給されて動作する。前記第１制御手段は、前記検出手段の検出結果に基づいて、所定処理を実行する。
【００１５】
前記蓄電手段は、前記電源から供給された電力を蓄電する。
【００１６】
前記第２制御手段は、前記電力の供給がオン状態のときには前記電源から電力を供給されて動作する。前記第２制御手段は、前記電力の供給がオフ状態のときには前記蓄電手段から電力を供給されて動作する。
【００１７】
前記第１制御手段は、自身が前記所定処理を実行するためのオン状態又はオフ状態を示す状態監視信号を第２制御手段に伝送する。
【００１８】
前記第２制御手段は、前記切替手段を制御する切替制御手段を有している。
【００１９】
前記第２制御手段においては、前記検出手段が前記オン要因またはオフ要因を検出すると、所定時間経過後に前記状態監視信号と前記オン要因またはオフ要因とが一致するか判別し、一致しない場合には前記切替制御手段が前記切替手段を制御する。
【図面の簡単な説明】
【００２０】
【図１】一実施形態に係る放送受信装置の構成を示す模式図である。
【図２】同実施形態における電源制御部及びその周辺構成の一例を示す模式図である。
【図３】同実施形態における電源制御ＩＣの構成を示す模式図である。
【図４】同実施形態における動作を説明するためのフローチャートである。
【図５】同実施形態における動作を説明するためのタイミングチャートである。
【図６】同実施形態における動作を説明するためのフローチャートである。
【図７】同実施形態における動作を説明するためのタイミングチャートである。
【発明を実施するための形態】
【００２１】
以下、一実施形態について図面を用いて説明する。
【００２２】
図１は、一実施形態に係る電子機器の一例としての放送受信装置１００の構成を示す模式図である。この放送受信装置１００は、電源制御ＩＣにより監視される電源状態をもつ電子機器である。また、この放送受信装置１００は、コンテンツに基づいて映像を液晶表示装置に表示させるものと仮定して説明する。
【００２３】
放送受信装置１００は、放送入力端子１１０、チューナ１１１、復調部１１２、信号処理部１１３、通信インターフェース１１４、音声処理部１２１、映像処理部１３１、ＯＳＤ（On-Screen Display）処理部１３２、表示処理部１３３、制御部１５０、操作入力部１６１、第１の受光部１６２、カードコネクタ１６４、ＵＳＢ（universal serial bus）コネクタ１６６、ディスクドライブ１７０、スピーカ３００及びディスプレイ４００を備えている。
【００２４】
放送入力端子１１０は、例えばアンテナ２００により受信されるディジタル放送信号が入力される入力端子である。アンテナ２００は、例えば、地上ディジタル放送信号、ＢＳ（broadcasting satellite）ディジタル放送信号、及び／または、１１０度ＣＳ（communication satellite）ディジタル放送信号を受信する。即ち、放送入力端子１１０には、放送信号により供給される番組などのコンテンツが入力される。
【００２５】
放送入力端子１１０は、受信したディジタル放送信号をチューナ１１１に供給する。チューナ１１１は、ディジタル放送信号用のチューナである。チューナ１１１は、アンテナ２００から供給されるディジタル放送信号のチューニング（選局）を行う。チューナ１１１は、チューニングしたディジタル放送信号を復調部１１２に送信する。
【００２６】
復調部１１２は、受信するディジタル放送信号の復調を行う。復調部１１２は、復調したディジタル放送信号（コンテンツ）を信号処理部１１３に入力する。即ち、アンテナ２００、チューナ１１１、及び復調部１１２は、コンテンツを受信する受信手段として機能する。
【００２７】
信号処理部１１３は、ディジタル放送信号（動画のコンテンツデータ）に対して信号処理を施す信号処理手段として機能する。信号処理部１１３は、復調部１１２から供給されるディジタル放送信号に、信号処理を施す。即ち、信号処理部１１３は、ディジタル放送信号を映像信号、音声信号、及びその他のデータ信号に分離する。信号処理部１１３は、音声処理部１２１に音声信号を供給する。また、信号処理部１１３は、映像処理部１３１に映像信号を供給する。さらに、信号処理部１１３は、制御部１５０、及び／またはＯＳＤ処理部１３２にデータ信号を供給する。
【００２８】
通信インターフェース１１４は、例えばＨＤＭＩ（High Definition Multimedia Interface）（登録商標）端子などの、コンテンツを受信可能なインターフェースを備えている。通信インターフェース１１４は、ディジタル映像信号、及びディジタル音声信号などが多重化されたコンテンツを他の機器から受信する。通信インターフェース１１４は、他の機器から受信したディジタル信号（コンテンツ）を信号処理部１１３に供給する。即ち、通信インターフェース１１４は、コンテンツを受信する受信手段として機能する。
【００２９】
信号処理部１１３は、通信インターフェース１１４から受信するディジタル信号に信号処理を施す。例えば、信号処理部１１３は、ディジタル信号をディジタル映像信号とディジタル音声信号とデータ信号とに分離する。信号処理部１１３は、音声処理部１２１にディジタル音声信号を供給する。また、信号処理部１１３は、映像処理部１３１にディジタル映像信号を供給する。さらに、信号処理部１１３は、制御部１５０、及び／またはＯＳＤ処理部１３２にデータ信号を供給する。
【００３０】
なお、信号処理部１１３は、通信インターフェース１１４に入力されるコンテンツと、放送入力端子１１０に入力されるコンテンツとのいずれかを選択し、処理を行う。即ち、信号処理部１１３は、ディジタル放送信号とディジタル信号のいずれかに対して信号の分離処理を行う。
【００３１】
音声処理部１２１は、信号処理部１１３から受信したディジタル音声信号を、スピーカ３００により再生可能なフォーマットの信号（オーディオ信号）に変換する。音声処理部１２１は、オーディオ信号をスピーカ３００に出力する。これにより、スピーカ３００は、供給されるオーディオ信号に基づいて音を再生する。スピーカ３００としては、左右チャンネル用に２つ設けられてもよく、更には、入力された音声信号の低音域を出力するためのサブウーハが設けられてもよい。なお、音声処理部１２１は、スピーカ３００の代わりに、音声出力端子にオーディオ信号を出力する構成としてもよい。この場合、音声出力端子は、供給されるオーディオ信号を装置外部に出力する。音声出力端子に接続されるスピーカ３００は、供給されるオーディオ信号に基づいて音を再生する。
【００３２】
ここで、オーディオ信号は、コンテンツにより種々の種類の音を含む。例えば、テレビ番組などのオーディオ信号は、人が発した声（音声）、音楽（音楽）、及び種々の雑音（背景雑音）などに基づく信号を含む。この場合の雑音は、例えば拍手、歓声、及び他の種々の音を含む。
【００３３】
また、放送受信装置１００は、例えばマイクなどの音を検出する装置が接続される環境音入力端子を備えてもよい。マイクは、例えば放送受信装置１００の近傍に設置され、放送受信装置１００の周囲の音（背景雑音）を検出し、信号に変換する。マイクは、この信号を環境音入力端子に供給する。環境音入力端子は、マイクから供給された信号を環境音として音声処理部１２１に供給する。
【００３４】
映像処理部１３１は、信号処理部１１３から受信した映像信号を、ディスプレイ４００で再生可能なフォーマットの映像信号に変換する。即ち、映像処理部１３１は、信号処理部１１３から受信した映像信号を、ディスプレイ４００で再生可能なフォーマットの映像信号にデコード（再生）する。また、映像処理部１３１は、ＯＳＤ処理部１３２から供給されるＯＳＤ信号を映像信号に重畳する。映像処理部１３１は、映像信号を表示処理部１３３に出力する。
【００３５】
ＯＳＤ処理部１３２は、信号処理部１１３から供給されるデータ信号、及び／または制御部１５０から供給される制御信号に基づいて、ＧＵＩ（グラフィック  ユーザ  インタフェース）画面、字幕、時刻、または他の情報などを画面に重畳して表示する為のＯＳＤ信号を生成する。
【００３６】
表示処理部１３３は、電源回路１８２，１８６がオン状態のとき、電源回路１８６から電力を供給されて画面の表示処理を実行する。表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ４００に出力する。これにより、ディスプレイ４００は、供給される映像信号に基づいて映像を表示する。なお、表示処理部１３３は、ディスプレイの代わりに、映像出力端子に映像信号を出力する構成としてもよい。この場合、映像出力端子は、供給される映像信号を装置外部に出力する。映像出力端子に接続されるディスプレイ４００は、供給される映像信号に基づいて映像を表示する。
【００３７】
ディスプレイ４００は、例えば、マトリクス状に配列された複数の画素を備える液晶表示パネルと、この液晶パネルを照明するバックライトとを備える液晶表示装置などを備えている。ディスプレイ４００は、表示処理部１３３から供給される映像信号に基づいて映像を表示する。なお、ディスプレイ４００は、表示処理部１３３から供給された映像信号を表示する表示パネルを含む表示モジュールであればよい。ディスプレイ４００としては、ＬＣＤ（Liquid Crystal Display）に限らず、例えば、ＰＤＰ（Plasma Display Panel）などの薄型平面ディスプレイを適用することができる。
【００３８】
制御部１５０は、放送受信装置１００の各部の動作を制御する制御手段として機能する。制御部１５０は、ＣＰＵ（central processing unit）１５１、ＲＯＭ（read-only memory）１５２、ＲＡＭ（random access memory）１５３、及びＥＥＰＲＯＭ（electrically erasable programmable read-only memory）１５４などを備えている。制御部１５０は、操作入力部１６１から供給される操作信号に基づいて、種々の処理を行う。また、制御部１５０の一機能として、リレースイッチ１８１を介して電源から電力を供給されて動作し、第１の受光部１６２等の検出結果に基づいて、所定処理を実行する第１制御手段が実現されている。この場合、第１制御手段は、自身が当該所定処理を実行するためのオン状態又はオフ状態を示す状態監視信号を電源制御ＩＣ１９２に伝送する。ここで、状態監視信号は、第１の電源回路１８２のオン状態又はオフ状態を示している。但し、状態監視信号としては、第１の電源回路１８２に限らず、第２の電源回路１８６のオン状態又はオフ状態を示すものとしてもよい。また、第１制御手段としては、制御部１５０から電源制御ＩＣ１９２に状態監視信号を伝送する構成に限らず、第１の電源回路１８２の出力信号線の一部を介して電源制御ＩＣ１９２に状態監視信号を伝送する構成としてもよい。同様に、第１制御手段は、第２の電源回路１８６の出力信号線の一部を介して電源制御ＩＣ１９２に状態監視信号を伝送する構成としてもよい。
【００３９】
ＣＰＵ１５１は、種々の演算処理を実行する演算素子などを備えている。ＣＰＵ１５１は、ＲＯＭ１５２、またはＥＥＰＲＯＭ１５４などに記憶されているプログラムを実行することにより種々の機能を実現する。
【００４０】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００４１】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００４２】
ＥＥＰＲＯＭ１５４は、各種の設定情報、及びプログラムなどを記憶する不揮発性メモリである。
【００４３】
操作入力部１６１は、例えば、操作キー、キーボード、マウス、タッチパッドまたは操作入力に応じて操作信号を生成する事ができる他の入力装置などを備える入力手段である。例えば、操作入力部１６１は、操作入力に応じて操作信号を生成する。操作入力部１６１は、生成した操作信号を制御部１５０に供給する。
【００４４】
なお、タッチパッドは、静電センサ、サーモセンサ、または他の方式に基づいて位置情報を生成するデバイスを含む。また、放送受信装置１００がディスプレイ４００を備える場合、操作入力部１６１は、ディスプレイ４００と一体に形成されるタッチパネルなどを備えている構成であってもよい。
【００４５】
第１の受光部１６２は、例えば、リモートコントローラ１６３からの操作信号を受信するセンサなどを備えている。第１の受光部１６２は、この操作信号を受信して制御部１５０に供給する。リモートコントローラ１６３は、ユーザの操作入力に基づいて操作信号を生成する。リモートコントローラ１６３は、生成した操作信号を赤外線通信により各受光部１６２，１９１に送信する。なお、各受光部１６２，１９１及びリモートコントローラ１６３は、電波などの他の無線通信により操作信号の送受信を行う構成であってもよい。また、各受光部１６２，１９１は、同一の操作信号を受信する観点から、互いに近い位置に設けられている。本明細書では、操作信号のうち、オン状態への切り替え操作を示す操作信号をオン要因検出信号とも呼ぶ。同様に、操作信号のうち、オフ状態への切り替え操作を示す操作信号をオフ要因検出信号とも呼ぶ。すなわち、各受光部１６２，１９１は、電力の供給をオン状態に切り替えるオン要因および電力の供給をオフ状態に切り替えるオフ要因を検出する検出手段としても機能する。なお、オン要因検出信号及びオフ要因検出信号は、操作信号に限らず、例えば、オンタイマーにおけるオン時刻の到達（オン要因）を示す検出信号や、オフタイマーによるオフ時刻の到達（オフ要因）を示す検出信号をも含む概念である。すなわち、検出手段は、各受光部１６２，１９１に限らず、制御部１５０の一機能としても実現される。
【００４６】
カードコネクタ１６４は、例えば、動画コンテンツを記憶するメモリカード１６５と通信を行う為のインターフェースである。カードコネクタ１６４は、接続されるメモリカード１６５から動画のコンテンツデータを読み出し、制御部１５０に供給する。
【００４７】
ＵＳＢコネクタ１６６は、ＵＳＢ機器１６７と通信を行う為のインターフェースである。ＵＳＢコネクタ１６６は、接続されるＵＳＢ機器１６７から供給される信号を制御部１５０に供給する。
【００４８】
例えば、ＵＳＢ機器１６７がキーボードなどの操作入力機器である場合、ＵＳＢコネクタ１６６は、操作信号をＵＳＢ機器１６７から受け取る。ＵＳＢコネクタ１６６は、受け取った操作信号を制御部１５０に供給する。この場合、制御部１５０は、ＵＳＢコネクタ１６６から供給される操作信号に基づいて種々の処理を実行する。
【００４９】
また、例えば、ＵＳＢ機器１６７が動画のコンテンツデータを記憶する記憶装置である場合、ＵＳＢコネクタ１６６は、コンテンツをＵＳＢ機器１６７から取得することができる。ＵＳＢコネクタ１６６は、取得したコンテンツを制御部１５０に供給する。
【００５０】
ディスクドライブ１７０は、例えば、コンパクトディスク（ＣＤ）、ディジタルバーサタイルディスク（ＤＶＤ）、ブルーレイディスク（Blu-ray Disk（登録商標））、または動画のコンテンツデータを記録可能な他の光ディスクＭを装着可能なドライブを有する。ディスクドライブ１７０は、装着される光ディスクＭからコンテンツを読み出し、読み出したコンテンツを制御部１５０に供給する。
【００５１】
また、放送受信装置１００は、後述する電源制御部１８０を備えている。電源制御部１８０は、宅内コンセントなどの外部電源５００から供給される電力を変換して得られた電力を放送受信装置１００の各部に供給する。電源制御部１８０は、例えば、ＡＣ（alternating current）アダプタなどを介して電力を変換する。また、電源制御部１８０は、キャパシタ等からなるバッテリーを備えていても良い。この場合、電源制御部１８０は、ＡＣアダプタなどを介して供給される電力をバッテリーに充電する。電源制御部１８０は、バッテリーに充電されている電力を放送受信装置１００の各部に供給する。
【００５２】
また、放送受信装置１００は、さらに他のインターフェースを備えていても良い。インターフェースは、例えば、Serial-ＡＴＡ（advanced technology attachment）、ＬＡＮ（local area network）ポートなどである。放送受信装置１００は、インターフェースにより接続される機器に記録されているコンテンツを取得し、再生することができる。また、放送受信装置１００は、再生したオーディオ信号及び映像信号を、インターフェースにより接続される機器に出力することが出来る。
【００５３】
また、放送受信装置１００がインターフェースを介してネットワークに接続される場合、放送受信装置１００は、ネットワーク上の動画のコンテンツデータを取得し、再生することができる。
【００５４】
またさらに、放送受信装置１００は、ハードディスク（ＨＤＤ）、ソリッドステイトディスク（ＳＳＤ）、または半導体メモリなどの記憶装置を備えていても良い。この記憶装置が動画のコンテンツデータを記憶する場合、放送受信装置１００は、この記憶装置に記憶されているコンテンツを読み出し、再生することが出来る。また、放送受信装置１００は、この記憶装置に例えば放送信号、またはネットワークなどにより供給されるコンテンツを記憶することができる。
【００５５】
また、音声処理部１２１は、音響制御部（図示せず）を備えている。音響制御部は、音声処理部１２１により再生されたオーディオ信号に対して補正を施す。これにより、音響制御部は、ユーザにとってより聞き取りやすい音がスピーカ３００から再生されるようにオーディオ信号を制御する。例えば、音響制御部は、環境音入力端子１２４から供給された環境音と再生オーディオ信号に基づいて、周波数毎に再生オーディオ信号を補正することができる。
【００５６】
図２は電源制御部１８０及びその周辺構成の一例を示す模式図である。この電源制御部１８０は、リレースイッチ１８１、第１の電源回路１８２、蓄電源部１８４、ＰＦＣ（Power Factor Correction）回路１８５、第２の電源回路１８６、ＡＣスイッチ１８８及び節電制御部１９０を備えている。
【００５７】
ここで、リレースイッチ１８１は、電源回路１８２，１８６に対する電力の供給をオン状態又はオフ状態に切り替える切替手段を構成している。具体的には、リレースイッチ１８１は、宅内コンセント等の外部電源５００と、第１の電源回路１８２及びＰＦＣ回路１８５との間の経路を開閉するための接点を有する開閉部品である。このリレースイッチ１８１が、電源制御ＩＣ１９２から入力される制御信号に基づいて接点を開閉することで、外部電源５００からの電力の供給のオン／オフが切り替えられる。本実施形態では、このリレースイッチ１８１にラッチングリレーを適用した例を説明する。ラッチングリレーとは、接点が閉（供給のオン）の状態（セット状態）と、接点が開（供給のオフ）の状態（リセット状態）との２つの状態を、それぞれの状態とするための制御信号が印加されていない状態においても維持することができるリレーである。
【００５８】
第１の電源回路１８２は、外部電源５００から電力を供給されて動作する。具体的には、第１の電源回路１８２は、リレースイッチ１８１を介して供給される電力に対して、ＡＣ／ＤＣ（direct current）変換やＤＣ／ＤＣ変換などの電圧変換処理を施して所定電圧値の電力を生成する。そして第１の電源回路１８２は、生成した電力を蓄電源部１８４、制御部１５０及び電源制御ＩＣ１９２へ供給する。なお、第１の電源回路１８２が生成する電力の電圧値は、制御部１５０及び節電制御部１９０に関するものであるため、第２の電源回路１８６が生成する電力の電圧値よりも低い値となっている。
【００５９】
蓄電源部１８４は、外部電源５００から供給された電力を蓄電する。具体的には、蓄電源部１８４は、図示しない充電制御部及び充電電源を備えている。充電制御部は、リレースイッチ１８１がオンに切り替えられている場合、第１の電源回路１８２から供給された電力に基づいて充電電源を充電する充電処理を実行して充電電源を生成する。充電制御部は、リレースイッチ１８１がオフに切り替えられている場合、充電処理の実行を停止する。また充電制御部は、リレースイッチ１８１がオンに切り替えられていても充電電源が所定量以上充電されている場合、充電処理の実行を停止すると共に充電電源へ電力を供給する。
【００６０】
充電電源は、リレースイッチ１８１がオンに切り替えられている場合、充電制御部が実行する充電処理により充電され、リレースイッチ１８１がオフに切り替えられている場合、電源制御ＩＣ１９２に電力を供給する。これにより、電力制御ＩＣ１９２は、電力の供給がオフ状態のときの待機電力がほぼゼロに抑制されている。この充電電源は、リレースイッチ１８１がオンに切り替えられている場合、充電制御部による充電処理により所定量以上充電された状態では、充電されなくなると共に電力を電源制御ＩＣ１９２に供給するように動作する。充電電源には、所定容量の電気２重層コンデンサなどが適用可能となっている。なお、充電電源としては、例えばキャパシタが使用可能であるが、蓄電できるものであればキャパシタでなくてもよい。
【００６１】
ＰＦＣ回路１８５は、リレースイッチ１８１を介して供給される電力に対して、力率改善のための波形変換処理を施して電力を生成する。そしてＰＦＣ回路１８５は、生成した電力を第２の電源回路１８５へ供給する。また、制御部１５０によりオン／オフ制御される。
【００６２】
第２の電源回路１８６は、外部電源５００から電力を供給されて動作する。具体的には、第２の電源回路１８６は、ＰＦＣ回路１８５を介して供給される電力に対して、ＡＣ／ＤＣ変換やＤＣ／ＤＣ変換などの電圧変換処理を施して所定電圧値の電力を生成する。そして第２の電源回路１８６は、生成した電力を制御部１５０及び節電制御部１９０以外の放送受信装置１００の各部に供給する。なお、第２の電源回路１８６が生成する電力の電圧値は、制御部１５０及び節電制御部１９０以外の各部に関するものであるため、第１の電源回路１８２が生成する電力の電圧値よりも高い値となっている。
【００６３】
ＡＣスイッチ１８８は、リレースイッチ１８１に電気的に並列に接続され、ユーザのオン／オフ操作により、リレースイッチ１８１の開閉状態とは無関係に、外部電源５００と、第１の電源回路１８２及びＰＦＣ回路１８５との間の経路を開閉する。補足すると、ＡＣスイッチ１８８は、蓄電源部１８４から供給される電力が低くて電源制御ＩＣ１９２がリレースイッチ１８１を制御できない場合に用いられる復帰スイッチである。
【００６４】
なお、ユーザが操作する別のスイッチとしては、主電源ボタン１８７がある。主電源ボタン１８７は、前述した操作入力部１６１の一部であり、放送受信装置１００の電源のオン／オフを切り替えるための操作キーである。具体的には、主電源ボタン１８７は、ユーザのオン／オフ操作に応じて、オン要因検出信号又はオフ要因検出信号を制御部１５０及び節電制御部１９０に入力する。
【００６５】
節電制御部１９０は、第２の受光部１９１及び電源制御ＩＣ１９２を備えている。
【００６６】
第２の受光部１９１は、例えば、リモートコントローラ１６３からの操作信号を受信するセンサなどを備えている。第２の受光部１９１は、受信した操作信号のうち、ユーザのオフ操作を示す操作信号をオフ要因として検出すると、オフ要因検出信号を電源制御ＩＣ１９２に送出する。なお、オフ要因は、電力の供給をオフ状態に切り替える要因である。同様に、第２の受光部１９１は、受信した操作信号のうち、ユーザのオン操作を示す操作信号をオン要因として検出すると、オン要因検出信号を電源制御ＩＣ１９２に送出する。オン要因は、電力の供給をオン状態に切り替える要因である。
【００６７】
図３は電源制御ＩＣ１９２の構成を示す模式図である。この電源制御ＩＣ１９２は、電力の供給がオン状態のときには電源５００から電力を供給されて動作し、電力の供給がオフ状態のときには蓄電源部１８４から電力を供給されて動作する第２制御手段として機能する。第２制御手段は、第２の受光部１９１がオン要因またはオフ要因を検出すると、所定時間（遮断時間）経過後に状態監視信号と当該オン要因またはオフ要因とが一致するか判別し、一致しない場合には切替制御手段（リレー制御回路２０３）が切替手段（リレースイッチ１８１）を制御する。第２制御手段の具体例として、電源制御ＩＣ１９２は、第１のレジスタ１９３_off、第２のレジスタ１９４_on、第１のカウンタ１９５_off、第２のカウンタ１９６_on、ステータス信号生成部１９７、セレクタ１９８、状態比較回路２０１、マスク回路２０２、リレー制御回路２０３を備えている。この具体例の場合、第２制御手段（電源制御ＩＣ１９２）においては、第２の受光部１９１がオン要因またはオフ要因を検出すると、遮断時間経過後に状態監視信号と、当該オン要因またはオフ要因に対応するステータス信号とが一致するかを比較結果信号に基づいて判別し、一致しない場合にはリレー制御回路２０３がリレースイッチ１８１を制御する。
【００６８】
ここで、第１のレジスタ１９３_offは、制御部１５０から予め遮断時間が設定される。第１のレジスタ１９３_offに設定される遮断時間は、オン状態からオフ状態に切り替える途中の一時的な不一致の期間よりも長い時間となっている。
【００６９】
第２のレジスタ１９４_onは、制御部１５０から予め遮断時間が設定される。第２のレジスタ１９４_onに設定される遮断時間は、オフ状態からオン状態に切り替える途中の一時的な不一致の期間よりも長い時間となっている。
【００７０】
第１のカウンタ１９５_offは、第２の受光部１９１から送出されたオフ要因検出信号を受けると、第１のレジスタ１９３_offに予め設定された遮断時間を計測する。
【００７１】
第２のカウンタ１９６_onは、第２の受光部１９１から送出されたオン要因検出信号を受けると、第２のレジスタ１９４_onに予め設定された遮断時間を計測する。
【００７２】
ここで、レジスタ１９３_off，１９４_on及びカウンタ１９５_off，１９６_onは、計測手段を構成している。
【００７３】
ステータス信号生成部１９７は、第２の受光部１９１から送出されたオン要因検出信号又はオフ要因検出信号に応じて、電力の供給のオン状態又はオフ状態を示すステータス信号を生成し、当該ステータス信号を状態比較回路２０１に送出する。
【００７４】
セレクタ１９８は、制御部１５０から受けるセレクト信号に応じて、第１のカウンタ１９５_offの出力信号又は第２のカウンタ１９６_onの出力信号をマスク回路２０２に送出する。なお、セレクタ１９８は、任意の付加的事項であり、省略しても良い。
【００７５】
状態比較回路２０１は、ステータス信号生成部１９７から送出されたステータス信号が示すオン状態又はオフ状態と、第１の電源回路１８２の出力信号線の一部から伝送された状態監視信号が示すオン状態又はオフ状態とを比較し、比較した結果を示す比較結果信号をマスク回路２０２に送出する。なお、状態監視信号としては、第１の電源回路１８２に限らず、第２の電源回路１８６のオン状態又はオフ状態を示す信号としてもよい。この場合、第２の電源回路１８６の出力信号線の一部から伝送されてもよい。また、状態監視信号は、制御部１５０から伝送されてもよい。また、「ステータス信号が示すオン状態又はオフ状態と、状態監視信号が示すオン状態又はオフ状態とを比較」の表現は、「オフ状態のステータス信号と、オン状態又はオフ状態の状態監視信号とを比較」の表現に読み替えてもよい。
【００７６】
また、状態比較回路２０１としては、例えば、ＥＸＯＲ回路などを用いてもよい。この場合、状態比較回路２０１としては、比較結果が不一致を示すときに“Ｈｉｇｈ”レベルの比較結果信号をマスク回路２０２に送出するように構成してもよい。
【００７７】
マスク回路２０２は、カウンタ１９５_off又は１９６_onによる遮断時間の計測中、状態比較回路２０１から送出された比較結果信号を遮断し、遮断時間の計測完了後、比較結果信号をリレー制御回路２０３に通過させる。
【００７８】
なお、マスク回路２０２としては、例えば、ＡＮＤ回路、ゲート回路又はディレー回路などの遮断手段を適宜、用いてもよい。例えばＡＮＤ回路の場合、カウンタ１９５_off又は１９６_onの出力信号ＣＯが“０”の期間は比較結果信号をマスクすることにより、リレー制御回路２０３から制御信号を出力させないようにしてもよい。
【００７９】
リレー制御回路２０３は、マスク回路２０２を通過した比較結果信号に基づいて、比較した２つの状態が不一致の場合には、２つの状態を一致させるようにリレースイッチ１８１を制御する。
【００８０】
なお、リレー制御回路２０３は、比較した２つの状態が不一致の場合、電力の供給を強制的にオン状態又はオフ状態とするようにリレースイッチ１８１を制御してもよい。
【００８１】
ここで、比較した２つの状態が不一致で電力の供給を強制的にオン状態にする場合、放送受信装置１００の異常原因をリモートコントローラ１６３又は操作入力部１６１の操作などにより、検査及び修理することが可能となる。比較した２つの状態が不一致で電力の供給を強制的にオフ状態にする場合、放送受信装置１００の異常に伴う発熱や焼損などを防ぐことができる。
【００８２】
また、リレー制御回路２０３は、比較した２つの状態が不一致の場合、ステータス信号がオフ状態を示すときには電力の供給をオン状態又はオフ状態とするようにリレースイッチ１８１を制御してもよい。また、リレー制御回路２０３は、比較した２つの状態が不一致の場合、ステータス信号がオン状態を示すときには電力の供給をオン状態とするようにリレースイッチ１９１を制御してもよい。
【００８３】
なお、リレー制御回路２０３によるリレースイッチのオンオフ制御の内容は、システムに応じて変更することも可能である。
【００８４】
また、電源制御ＩＣ１９２は、リレー制御回路２０３によってリレースイッチをオン状態に制御した場合には、リレースイッチ１８１を介して電源５００から電力を供給されて動作する制御部１５０に対してオン要因検出信号を送出する送出部（図示せず）を更に備えてもよい。
【００８５】
次に、以上のように構成された放送受信装置におけるリレー制御方法について図４乃至図７を用いて説明する。始めに、初期設定時の動作を述べる。
【００８６】
放送受信装置１００内の電源制御ＩＣ１９２においては、初期設定時に、ユーザの操作に応じて制御部１５０からそれぞれ遮断時間が各レジスタ１９３_off，１９４_onに設定される。ここで、各遮断時間は、互いに同一の値でもよく、互いに異なる値でもよい。遮断時間としては、例えば１５秒以内の時間が好ましい。初期設定の完了後、電源制御ＩＣ１９２は使用可能となる。但し、初期設定を行わない場合を考慮し、遮断時間のデフォルト値を予めレジスタ１９３_off，１９４_onに設定しておいてもよい。
【００８７】
次に、通常状態からオフ状態への切り替え動作を図４及び図５を用いて説明する。
【００８８】
いま、放送受信装置１００は、オン状態で動作中の通常状態であるとする（ＳＴ１）。通常状態では、時刻ｔ０に示すように、状態監視信号は“オン状態”、オフ要因検出信号は“０”、ステータス信号は“オン状態”、第１のカウンタ１９５_offの出力信号ＣＯは“０”、制御信号は“オン状態”となっている。
【００８９】
通常状態において、第２の受光部１９１は、リモートコントローラ１６３から受信した操作信号のうち、ユーザのオフ操作を示す操作信号をオフ要因として検出すると、オフ要因検出信号を電源制御ＩＣ１９２内のステータス信号生成部１９７及び第１のカウンタ１９５_offに送出する（ＳＴ２〜ＳＴ３；時刻ｔ１）。
【００９０】
この時刻ｔ１においては、同様に、第１の受光部１６２は、リモートコントローラ１６３から受信した操作信号のうち、ユーザのオフ操作を示す操作信号をオフ要因として検出すると、オフ要因検出信号を制御部１５０に送出する。制御部１５０は、このオフ要因検出信号に応じて、オフ要因検出信号を示すセレクト信号を電源制御ＩＣ１９２内のセレクタ１９８に送出すると共に、電源回路１８２，１８６及びＰＦＣ回路１８５をオフ状態に制御する。これにより、電源回路１８２，１８６及びＰＦＣ回路１８５は、時刻ｔ１から少し遅れてオフ状態に移行する（時刻ｔ２）。
【００９１】
一方、ステータス信号生成部１９７は、時刻ｔ１に送出されたオフ要因検出信号に応じて、電力の供給のオフ状態を示すステータス信号を生成し（ＳＴ４）、当該ステータス信号を状態比較回路２０１に送出する。
【００９２】
状態比較回路２０１は、送出されたステータス信号が示すオフ状態と、第１の電源回路１８２の出力信号線の一部から伝送された状態監視信号が示すオン状態又はオフ状態とを比較し、比較した結果を示す比較結果信号をマスク回路２０２に送出する（ＳＴ５〜ＳＴ６）。
【００９３】
他方、第１のカウンタ１９５_offは、時刻ｔ１に送出されたオフ要因検出信号を受けると、第１のレジスタ１９３_offに予め設定された遮断時間の計測を開始する（ＳＴ７）。
【００９４】
マスク回路２０２は、第１のカウンタ１９５_offによる遮断時間の計測中、状態比較回路２０１から送出された比較結果信号を遮断する（ＳＴ８）。
【００９５】
遮断時間の計測完了後、第１のカウンタ１９５_offは、遮断時間の計測完了を示す“Ｈｉｇｈ”レベルの出力信号ＣＯをマスク回路２０２に送出する（時刻ｔ３）。
【００９６】
マスク回路２０２は、時刻ｔ３に送出された出力信号ＣＯを受けると、比較結果信号をリレー制御回路２０３に通過させる。なお、時刻ｔ３以降の比較結果信号は、図５に示すように、オフ状態のステータス信号と、オフ状態の状態監視信号とが一致している旨を示している。
【００９７】
リレー制御回路２０３は、マスク回路２０２を通過した比較結果信号に基づいて、オフ状態のステータス信号と、オフ状態の状態監視信号とが一致しているかを判別し、ここでは一致しているため、電力の供給をオフ状態にするようにリレースイッチ１８１を制御する（ＳＴ９；時刻ｔ４）。具体的には、リレー制御回路２０３は、電力の供給をオフ状態に切り替える制御信号をリレースイッチ１８１に送出する。
【００９８】
リレースイッチ１８１は、この制御信号に応じて、外部電源５００と、第１の電源回路１８２及びＰＦＣ回路１８５との間の経路を開くことにより、外部電源５００からの電力の供給をオフ状態に切り替える。
【００９９】
電力の供給がオフ状態のとき、電源制御ＩＣ１９２は、蓄電源部１８４から電力を供給されて動作する。
【０１００】
なお、リレー制御回路２０３は、比較結果信号がステータス信号と状態監視信号との不一致を示す場合には、システム動作と節電制御部１９０との間に異常が発生しているので、比較した２つの信号の状態を一致させるようにリレースイッチ１８１を制御する。例えば、電力の供給を強制的にオン状態又はオフ状態とするようにリレースイッチ１８１を制御してもよい。
【０１０１】
次に、オフ状態からオン状態（通常状態）への切り替え動作を図６及び図７を用いて説明する。
【０１０２】
いま、放送受信装置１００は、電力の供給がオフ状態であるとする（ＳＴ１１）。オフ状態では、電源制御ＩＣ１９２以外の各部の動作が停止している。オフ状態では、時刻ｔ１０に示すように、状態監視信号は“オフ状態”、オフ要因検出信号は“０”、ステータス信号は“オフ状態”、第２のカウンタ１９６_onの出力信号ＣＯは“０”、制御信号は“オフ状態”となっている。
【０１０３】
オフ状態において、第２の受光部１９１は、リモートコントローラ１６３から受信した操作信号のうち、ユーザのオン操作を示す操作信号をオン要因として検出すると、オン要因検出信号を電源制御ＩＣ１９２内のステータス信号生成部１９７及び第２のカウンタ１９６_onに送出する（ＳＴ１２〜ＳＴ１３；時刻ｔ１１）。
【０１０４】
この時刻ｔ１１においては、同様に、第１の受光部１６２は、リモートコントローラ１６３から受信した操作信号のうち、ユーザのオン操作を示す操作信号をオン要因として検出すると、オン要因検出信号を制御部１５０に送出する。しかしながら、制御部１５０は、電力の供給がオフ状態のため、動作しない。セレクタ１９８は、制御部１５０からセレクト信号を受けていないため、第２のカウンタ１９６_onの出力信号線とマスク回路２０２の入力信号線とを接続するように動作する。
【０１０５】
一方、ステータス信号生成部１９７は、時刻ｔ１１に送出されたオン要因検出信号に応じて、電力の供給のオン状態を示すステータス信号を生成し（ＳＴ１４）、当該ステータス信号を状態比較回路２０１に送出する。
【０１０６】
状態比較回路２０１は、送出されたステータス信号が示すオン状態と、第１の電源回路１８２の出力信号線の一部から伝送された状態監視信号が示すオン状態又はオフ状態とを比較し、比較した結果を示す比較結果信号をマスク回路２０２に送出する（ＳＴ１５〜ＳＴ１６）。
【０１０７】
他方、第２のカウンタ１９６_onは、時刻ｔ１１に送出されたオフ要因検出信号を受けると、第２のレジスタ１９４_onに予め設定された遮断時間の計測を開始する（ＳＴ１７）。
【０１０８】
マスク回路２０２は、第２のカウンタ１９６_onによる遮断時間の計測中、状態比較回路２０１から送出された比較結果信号を遮断する（ＳＴ１８）。
【０１０９】
遮断時間の計測完了後、第２のカウンタ１９６_onは、遮断時間の計測完了を示す“Ｈｉｇｈ”レベルの出力信号ＣＯをマスク回路２０２に送出する（時刻ｔ１２）。
【０１１０】
マスク回路２０２は、時刻ｔ１２に送出された出力信号ＣＯを受けると、比較結果信号をリレー制御回路２０３に通過させる。なお、時刻ｔ１２直後の比較結果信号は、図５に示すように、オン状態のステータス信号と、オフ状態の状態監視信号が示すオフ状態とが一致しない旨を示している。
【０１１１】
リレー制御回路２０３は、マスク回路２０２を通過した比較結果信号に基づいて、オン状態のステータス信号と、オフ状態の状態監視信号とが一致しているかを判別し、ここでは一致していないため、電力の供給をオン状態にするようにリレースイッチを制御する（ＳＴ１９；時刻ｔ１３）。具体的には、リレー制御回路２０３は、電力の供給をオン状態に切り替える制御信号をリレースイッチ１８１に送出する。
【０１１２】
リレースイッチ１８１は、この制御信号に応じて、外部電源５００と、第１の電源回路１８２及びＰＦＣ回路１８５との間の経路を閉じることにより、外部電源５００からの電力の供給をオン状態に切り替える。これにより、放送受信装置１３０内の第１の電源回路１８２、制御部１５０及び電源制御ＩＣ１９２を含む各部は、電源５００から電力を供給されて動作する（時刻ｔ１４）。
【０１１３】
この時刻ｔ１４においては、電源制御ＩＣ１９２内の送出部（図示せず）は、時刻ｔ１１で受けたオン要因検出信号を制御部１５０に送出する。制御部１５０は、このオン要因検出信号に応じて、電源回路１８６及びＰＦＣ回路１８５をオン状態に制御する。これにより、電源回路１８６及びＰＦＣ回路１８５は、時刻ｔ１４から少し遅れてオン状態に移行する。
【０１１４】
上述したように本実施形態によれば、第２の受光部１９１がオン要因またはオフ要因を検出すると、遮断時間経過後に状態監視信号と、当該オン要因またはオフ要因に対応するステータス信号とが一致するかを比較結果信号に基づいて判別し、一致しない場合にはリレー制御回路２０３がリレースイッチ１８１を制御する。
【０１１５】
具体的には、カウンタ１９６_on又は１９５_offが、オン要因検出信号又はオフ要因検出信号を受けると、予め設定された遮断時間を計測し、マスク回路２０２が、遮断時間の計測完了後、比較結果信号を通過させ、リレー制御回路２０３が、通過した比較結果信号に基づいて、比較した２つの信号が一致するかを判別し、一致しない場合には、２つの状態を一致させるようにリレースイッチ１８１を制御する構成により、オン状態とオフ状態とを切り替える途中の一時的な不一致に基づく誤認識を阻止し、電力供給のオン状態とオフ状態とを切り替える制御の安定性を向上させることができる。
【０１１６】
補足すると、実際に電源が切れてから数秒後に監視、比較結果を出力する構成により、実際のシステムの電源の状態を見間違えることなく、比較結果に基づく切り替え制御を実行することができる。このため、状態を誤認識して、常にリレーをオンし続けるようなことがない。
【０１１７】
また、リレー制御回路２０３は、比較した２つの状態が不一致で電力の供給を強制的にオン状態にする場合、放送受信装置１００の異常原因をリモートコントローラ１６３又は操作入力部１６１の操作などにより、検査及び修理することが可能となる。比較した２つの状態が不一致で電力の供給を強制的にオフ状態にする場合、放送受信装置１００の異常に伴う発熱や焼損などを防ぐことができる。
【０１１８】
また、電源回路１８２，１８６がオン状態のとき、電源回路１８６から電力を供給されて画面の表示処理を実行する表示処理部１３３を備えた構成により、電子機器の電力供給がオン状態であることをユーザに容易に認識させることができる。
【０１１９】
なお、各実施形態は、電源状態監視装置を備えた電子機器として、放送受信装置１００を例として説明したが、これに限らず、パーソナルコンピュータ、携帯型移動端末装置、ＨＤＤ／光ディスクレコーダなどの任意の電子機器に電源状態監視装置を備えた構成としてもよい。また、地上放送や衛星放送だけでなく、ラジオ放送やインターネット又はケーブルネットワーク等を用いた有線放送などを受信するセットトップボックスなどを例とした実施形態であってもよい。さらには各実施形態に係る電源状態監視装置が、様々な電子機器に供給電源を供給するための電源アダプタなどに適用されてもよい。
【０１２０】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２１】
１００…放送受信装置、１１０…放送入力端子、１１１…チューナ、１１２…復調部、１１３…信号処理部、１１４…通信インターフェース、１２１…音声処理部、１３１…映像処理部、１３２…ＯＳＤ処理部、１３３…表示処理部、１５０…制御部、１５１…ＣＰＵ、１５２…ＲＯＭ、１５３…ＲＡＭ、１５４…ＥＥＰＲＯＭ、１６１…操作入力部、１６２…第１の受光部、１６３…リモートコントローラ、１６４…カードコネクタ、１６５…メモリカード、１６６…ＵＳＢコネクタ、１６７…ＵＳＢ機器、１７０…ディスクドライブ、１８０…電源制御部、１８１…リレースイッチ、１８２…第１の電源回路、１８４…蓄電源部、１８５…ＰＦＣ回路、１８６…第２の電源回路、１８８…ＡＣスイッチ、１９０…節電制御部、１９１…第２の受光部、１９２…電源制御ＩＣ、１９３_off…第１のレジスタ、１９４_on…第２のレジスタ、１９５_off…第１のカウンタ、１９６_on…第２のカウンタ、１９７…ステータス信号生成部、１９８…セレクタ、２００…アンテナ、２０１…状態比較回路、２０２…マスク回路、２０３…リレー制御回路、３００…スピーカ、４００…ディスプレイ。
【図１】
2013078057.tif 000003
【図２】
2013078057.tif 000004
【図３】
2013078057.tif 000005
【図４】
2013078057.tif 000006
【図５】
2013078057.tif 000007
【図６】
2013078057.tif 000008
【図７】
2013078057.tif 000009